(57)【要約】【課題】露受皿に設けられたドレンソケットに適切にドレンホースを取り付けることを可能とし、且つ、円滑な排水を実現することができる冷却貯蔵庫を提供する。【解決手段】本発明は、冷却器１１からのドレン水を受ける露受皿７に形成されて横方向に突出するドレンソケット５１に、ドレンホース４１を接続して成る冷却貯蔵庫１において、露受皿７に取り付けられたドレンホース固定具３１は、ドレンホース４１の拡管部４２から所定範囲に渡ってドレンホース４１を下側より支持し、その状態でバンド４５、４６によりドレンホース４１に固定され、ドレンソケット５１より離間するに従って低く傾斜する。【選択図】図４
2010197001.tif 000002
【特許請求の範囲】
【請求項１】
冷却器からのドレン水を受ける露受皿を備え、該露受皿に形成されて横方向に突出するドレンソケットに、ドレンホースを接続して成る冷却貯蔵庫において、
前記露受皿に取り付けられたドレンホース固定具を備え、
該ドレンホース固定具は、前記ドレンソケットを覆う前記ドレンホースの拡管部から所定範囲に渡って当該ドレンホースを下側より支持し、その状態でバンドにより前記ドレンホースに固定されると共に、前記ドレンソケットより離間するに従って低く傾斜することを特徴とする冷却貯蔵庫。
【請求項２】
前記ドレンホースは蛇腹形状を呈しており、前記ドレンホース固定具は、前記ドレンホースの蛇腹の溝に係合するリブを複数有することを特徴とする請求項１に記載の冷却貯蔵庫。
【請求項３】
前記ドレンホース固定具のリブは、前記ドレンホースの拡管部内の所定位置まで前記ドレンソケットが進入した状態で、前記ドレンホースの蛇腹の溝に係合することを特徴とする請求項２に記載の冷却貯蔵庫。
【請求項４】
前記ドレンホース固定具は、少なくとも前記ドレンホースの拡管部に対応する位置にて前記バンドにより固定されると共に、当該バンドに対応する位置の内面には、突条が形成されていることを特徴とする請求項１乃至請求項３の何れかに記載の冷却貯蔵庫。
【請求項５】
前記露受皿は貯蔵室内上部に配置されると共に、前記ドレンホース固定具の下面は、前記貯蔵室の壁面に向けて低く傾斜した形状を呈していることを特徴とする請求項１乃至請求項４の何れかに記載の冷却貯蔵庫。
【請求項６】
前記ドレンホース固定具は、前記ドレンホースの下側のみを覆う断面半円弧形状を呈していることを特徴とする請求項１乃至請求項５の何れかに記載の冷却貯蔵庫。
【請求項７】
前記露受皿は、下方に突出するボス部を有すると共に、前記ドレンホース固定具は、前記露受皿のボス部にネジ止めされる固定部を有し、該固定部には、前記ボス部に形成された係合部が係合する被係合部が形成されていることを特徴とする請求項１乃至請求項６の何れかに記載の冷却貯蔵庫。
【発明の詳細な説明】
【技術分野】
【０００１】
本発明は冷却器からのドレン水を受ける露受皿を備えた冷却貯蔵庫であって、特に、この露受皿に形成されたドレンソケットと、当該ドレンソケットに接続されるドレンホースの固定に関するものである。
【背景技術】
【０００２】
従来より低温ショーケースなどの貯蔵庫においては、前面に開口した貯蔵室内上部に冷却器と露受皿とを備え、冷却器から滴下する除霜水などのドレン水をこの露受皿にて受け、ドレンホースを介して庫外に排出している。
【０００３】
この場合、露受皿１００の底部１００Ａには、図１３に示すように、横方向に突出して貯蔵室１０１の壁面に向けて開口するドレンソケット１０５が形成されており、当該ソケット１０５にドレンホース１０６の一端部１０６Ａが接続される。
【０００４】
そして、ドレンソケット１０５に接続されたドレンホース１０６は、バンド１０７によって露受皿１００の底部１００Ａに固定される。図１３では、ドレンホース１０６にバンド１０７を巻き付け、当該バンド１０７の両端を重合させて、当該端部をネジやビス１０８によって露受皿１００の底部１００Ａに固定していた。
【０００５】
ドレンホース１０６は、蛇腹形状を呈しており、当該形状によって可撓性を有する。当該ドレンホース１０６の他端部は、貯蔵室１０１の壁面に沿って下方、更には、外部に導出されている。これにより、露受皿１００内のドレン水をドレンソケット１０５、ドレンホース１０６を介して外部に排出可能とされていた。
【発明の概要】
【発明が解決しようとする課題】
【０００６】
しかしながら、上述した如き構成では、ドレンホース１０６の可撓性の度合いが固い場合には、図１４に示すような露受皿１００に取付前のバンド１０７側面形状が、当該バンド１０７を露受皿１００に取り付けることにより、図１５に示すように、バンド１０７が変形してしまう。
【０００７】
これにより、バンド１０７にて固定されたドレンホース１０６部分がわずかに上方に引き上げられた状態となり、ドレンソケット１０５に接続された一端部１０６Ａと当該固定部分との間がＵトラップ状態となってしまう問題がある。
【０００８】
そのため、露受皿１００から導出されたドレン水が常時このＵトラップに溜まり、ドレンホース１０６とドレンソケット１０５の繋ぎ目から水漏れが発生する問題がある。また、バンド１０７によりドレンホース１０６を露受皿１００に固定する方法では、ドレンホース１０６が少し押されるだけでドレンホース１０６がドレンソケット１０５から外れてしまう問題がある。このような原因によって水漏れが生じると、貯蔵室１０１内に収容された商品が濡れてしまう問題がある。
【０００９】
そこで、本発明は、従来の技術的課題を解決するためになされたものであり、露受皿に設けられたドレンソケットに適切にドレンホースを取り付けることを可能とし、且つ、円滑な排水を実現することができる冷却貯蔵庫を提供する。
【課題を解決するための手段】
【００１０】
上記課題を解決するために、本発明の冷却貯蔵庫は、冷却器からのドレン水を受ける露受皿を備え、この露受皿に形成されて横方向に突出するドレンソケットに、ドレンホースを接続して成るものであって、露受皿に取り付けられたドレンホース固定具を備え、このドレンホース固定具は、ドレンソケットを覆うドレンホースの拡管部から所定範囲に渡ってこのドレンホースを下側より支持し、その状態でバンドによりドレンホースに固定されると共に、ドレンソケットより離間するに従って低く傾斜することを特徴とする。
【００１１】
請求項２の発明は、上記発明において、ドレンホースは蛇腹形状を呈しており、ドレンホース固定具は、ドレンホースの蛇腹の溝に係合するリブを複数有することを特徴とする。
【００１２】
請求項３の発明は、上記発明において、ドレンホース固定具のリブは、ドレンホースの拡管部内の所定位置までドレンソケットが進入した状態で、ドレンホースの蛇腹の溝に係合することを特徴とする。
【００１３】
請求項４の発明は、上記各発明において、ドレンホース固定具は、少なくともドレンホースの拡管部に対応する位置にてバンドにより固定されると共に、このバンドに対応する位置の内面には、突条が形成されていることを特徴とする。
【００１４】
請求項５の発明は、上記各発明において、露受皿は貯蔵室内上部に配置されると共に、ドレンホース固定具の下面は、貯蔵室の壁面に向けて低く傾斜した形状を呈していることを特徴とする。
【００１５】
請求項６の発明は、上記各発明において、ドレンホース固定具は、ドレンホースの下側のみを覆う断面半円弧形状を呈していることを特徴とする。
【００１６】
請求項７の発明は、上記各発明において、露受皿は、下方に突出するボス部を有すると共に、ドレンホース固定具は、露受皿のボス部にネジ止めされる固定部を有し、この固定部には、ボス部に形成された係合部が係合する被係合部が形成されていることを特徴とする。
【発明の効果】
【００１７】
本発明によれば、冷却器からのドレン水を受ける露受皿を備え、この露受皿に形成されて横方向に突出するドレンソケットに、ドレンホースを接続して成る冷却貯蔵庫において、露受皿に取り付けられたドレンホース固定具を備え、このドレンホース固定具は、ドレンソケットを覆うドレンホースの拡管部から所定範囲に渡ってこのドレンホースを下側より支持し、その状態でバンドによりドレンホースに固定されると共に、ドレンソケットより離間するに従って低く傾斜しているため、ドレンホース固定具によって、ドレンホースを確実にドレンソケットに取り付けることができる。
【００１８】
このとき、ドレンソケットに接続されたドレンホースは、ドレンホース固定具によって下側から支持されているため、従来の如くドレンホースにＵトラップが形成される不都合を効果的に解消することができ、ドレンホース固定具により、ドレンホースはドレンソケットより離間するに従って低く傾斜して取り付けることができ、円滑にドレン水を排出することが可能となる。
【００１９】
また、バンドによってドレンソケットに接続されたドレンホースとドレンホース固定具とは、固定されているため、ドレンホースが押されることによって容易にドレンソケットから抜けてしまう不都合を解消できる。
【００２０】
これにより、ドレンホースとドレンソケットとの繋ぎ目等から水漏れが発生する不都合を効果的に抑制することができる。
【００２１】
請求項２の発明によれば、上記発明に加えて、ドレンホースは蛇腹形状を呈しており、ドレンホース固定具は、ドレンホースの蛇腹の溝に係合するリブを複数有するので、係るドレンホース固定具のリブが、ドレンホースの蛇腹の溝に係合してドレンホースが露受皿のドレンソケットから外れる不都合を効果的に防止することができる。
【００２２】
請求項３の発明によれば、上記発明に加えて、ドレンホース固定具のリブは、ドレンホースの拡管部内の所定位置までドレンソケットが進入した状態で、ドレンホースの蛇腹の溝に係合するので、ドレンソケットがドレンホースの拡管部内所定位置まで挿入され、正常に接続されたことを確認することができる。
【００２３】
これにより、ドレンソケットがドレンホースの拡管部内所定位置まで挿入されていない状態でドレンホース固定具によりドレンホースの固定が行われることによる水漏れの招来を未然に回避することができるようになる。
【００２４】
請求項４の発明によれば、上記各発明に加えて、ドレンホース固定具は、少なくともドレンホースの拡管部に対応する位置にてバンドにより固定されると共に、このバンドに対応する位置の内面には、突条が形成されているので、バンドが固定される箇所にてドレンホースの拡管部と、ドレンホース固定具との密着性を向上させることができる。これにより、より一層、水漏れの防止を実現することができる。
【００２５】
請求項５の発明によれば、上記各発明に加えて、露受皿は貯蔵室内上部に配置されると共に、ドレンホース固定具の下面は、貯蔵室の壁面に向けて低く傾斜した形状を呈しているので、当該ドレンホース固定具の外面に付着した結露水などを、貯蔵室の壁面に向けて低く傾斜した下面形状を伝って円滑に貯蔵室の壁面に導くことができる。
【００２６】
これにより、当該ドレンホース固定具の外面に至った露が貯蔵室内の物品に降りかかることで、物品を濡らしてしまう不都合を防止することができる。
【００２７】
請求項６の発明によれば、上記各発明に加えて、ドレンホース固定具は、ドレンホースの下側のみを覆う断面半円弧形状を呈しているので、ドレンホース内に詰まりが発生した場合にも、容易に詰まりを確認することが可能となる。
【００２８】
請求項７の発明によれば、上記各発明に加えて、露受皿は、下方に突出するボス部を有すると共に、ドレンホース固定具は、露受皿のボス部にネジ止めされる固定部を有し、この固定部には、ボス部に形成された係合部が係合する被係合部が形成されているので、露受皿のボス部の係合部とドレンホース固定具の固定部の被係合部とを係合させることで、ドレンホース固定具の取付方向を容易に確定することができる。これにより、取付作業性の向上を図ることができる。
【００２９】
また、露受皿のボス部の係合部とドレンホース固定具の固定部の被係合部との係合によって、取付時において固定用のネジ等の締め付け過ぎによる回転を防止することができる。これにより、より適切にドレンホース固定具を用いてドレンホースをドレンソケットに固定することが可能となる。
【図面の簡単な説明】
【００３０】
【図１】本実施例の冷却貯蔵庫の斜視図である。
【図２】図１の冷却貯蔵庫の縦断側面図である。
【図３】図１の冷却貯蔵庫の上部拡大分解図である。
【図４】排水機構部分の貯蔵室内上部拡大正面図である。
【図５】図４の拡大側面図である。
【図６】ドレンホース固定具の斜視図である。
【図７】ドレンホース固定具の斜視図である。
【図８】ドレンホース固定具及びドレンホース（一部）の平面図である。
【図９】ドレンホース固定具の取付状態を示す正面図である。
【図１０】排水機構の一部切欠拡大側面図である。
【図１１】ドレンホース固定具の取付状態を示す透視正面図である。
【図１２】図１１の縦断正面図である。
【図１３】従来の排水機構の拡大図である。
【図１４】バンドの縦断側面図である。
【図１５】バンドの縦断側面図である。
【発明を実施するための形態】
【００３１】
以下、図面に基づき本発明の実施の形態について詳細に説明する。実施例の冷却貯蔵庫１は、コンビニエンスストアやスーパーマーケット等の店舗において商品等の物品を冷却しながら陳列するショーケースであり、前面に開口した断熱箱体５（断熱壁）から構成されている。この断熱箱体５は鋼板製の外箱２と、この外箱２内に間隔を存して組み込まれた鋼板若しくは硬質合成樹脂製の内箱３と、両箱２、３の開口縁を接続する樹脂製のブレーカ４と、これら両箱２、３及びブレーカ４で囲繞された空間内に発泡充填された発泡ポリウレタンからなる断熱材６とから構成されている。
【００３２】
この断熱箱体５内上部には仕切部材を兼ねた硬質合成樹脂製の露受皿７が架設されており、この露受皿７の上方に冷却室８が、下方に貯蔵室９が区画形成されている。これにより、露受皿７は、貯蔵室９内上部に配置されることとなる。
【００３３】
そして、上記露受皿７上の冷却室８内には、前側に冷却装置に含まれる冷却器１１が、その後側にプロペラファンからなる送風機１２がそれぞれ配置されている。なお、図３において、１２Ｍは送風機１２を駆動するモータ、１３は送風機１２及びモータ１２Ｍを断熱箱体５の上部に取り付けるためのファンブラケット、１４は当該ファンブラケット１３を断熱箱体５の上部内壁面に着脱自在に吊下する支持金具である。
【００３４】
この送風機１２の下側に対応する位置の露受皿７には吐出口１５が形成されており、この吐出口１５には貯蔵室９側に突出して吐出口ガード１６が露受皿７と一体に成形されている。また、この露受皿７の前面には、吸込口１７が形成されている。
【００３５】
一方、露受皿７下方の貯蔵室９内の四隅には、上下に延在する支柱２２・・・がそれぞれ配設されており、当該支柱２２には、商品を陳列するための複数の棚２１・・・が架設支持されている。また、冷却室８の前方であって、貯蔵室９の前面開口上縁には、樹脂製の上レール部材２３が、露受皿７の前端と所定間隔を存して取り付けられている。貯蔵室９の前面開口下縁には、下レール部材２４が取り付けられている。これら上レール部材２３と下レール部材２４間には、引き戸式のガラス扉２５、２６が嵌め込まれており、これにより、貯蔵室９の前面開口は開閉自在に閉塞される。
【００３６】
そして、断熱箱体５の下方には、前記冷却器１１と共に冷却装置を構成する圧縮機１８や、凝縮器１９、凝縮器用送風機２０などが配設される機械室１０が区画形成されている。
【００３７】
次に、図４乃至図１２を参照して、本実施例の露受皿７からの排水機構３０について詳述する。図４は排水機構３０部分の貯蔵室９内上部拡大正面図、図５は図４の拡大側面図、図６はドレンホース固定具３１の斜視図、図７はドレンホース固定具３１の斜視図、図８はドレンホース固定具３１及びドレンホース（一部）４１の平面図、図９はドレンホース固定具３１の取付状態を示す正面図、図１０は排水機構３０の一部切欠拡大側面図、図１１はドレンホース固定具３１の取付状態を示す透視正面図、図１２は図１１の縦断正面図をそれぞれ示している。
【００３８】
上述した如く冷却器１１の下方に配設されて当該冷却器１１からのドレン水を受ける露受皿７は、下面全体が所定角度で後ろに向けて低く傾斜して形成されており、その後端の一側部が最も低くなるように形成されている。そして、この最も低くなるように形成された後端の一側部、本実施例では、正面から向かって後端左側部には、横方向、当該一側部側の断熱箱体５の側壁方向（本実施例では正面から向かって左側壁方向）に向けて突出するドレンソケット５１が露受皿７と一体に形成されている。
【００３９】
本実施例において、当該ドレンソケット５１は、所定寸法だけ横方向に延在して、接続されるドレンホース４１の外径よりも少許小さい外径の断面略円形を呈しており、当該端部開口は、前記一側部側の断熱箱体５の側壁方向（本実施例では正面から向かって左側壁方向）に向けて開口している。また、このドレンソケット５１の開口側端部は、少なくとも、開口する側の露受皿７の側端よりも所定寸法だけ内側に配置されるように形成されているものとする。
【００４０】
ドレンホース４１は、蛇腹形状を呈しており、ドレンソケット５１に接続される側の端部には、内径がドレンソケット５１の外径と略きっちり挿脱可能とされる寸法とされた拡管部４２が形成されている。尚、当該拡管部４２の端部形状は、図８に示すように側面に対し略垂直に切断された形状としても、図９に示すように側面に対し所定角度傾斜して切断された形状としてもよい。図９の如き形状とすることで、ドレンホース４１内にドレンソケット５１端部を挿入しやすくすることができる。
【００４１】
ドレンホース固定具３１は、ドレンソケット５１に接続された状態のドレンホース４１を露受皿７に固定するための部材である。本実施例におけるドレンホース固定具３１は、全体が断面半円弧形状を呈しており、ドレンソケット５１を覆うドレンホース４１の拡管部４２から所定範囲に渡ってドレンホース４１を下側より支持する寸法に形成されている。
【００４２】
具体的には、ドレンホース固定具３１は、略円筒を長手方向に半割したような形状とされている。そして、上方に開放した断面略半円弧形状がドレンソケット５１を覆っているドレンホース４１の拡管部４２の下側から所定寸法だけドレンソケット５１の露受皿７側にまで延在する支持部３２と、当該支持部３２のドレンホース４１側端部から所定範囲、例えば、露受皿７の側端部近傍にまで連続して形成される傾斜支持部３３とからドレンホース固定具３１の本体が構成されている。
【００４３】
支持部３２は、少許端部に向けて低く傾斜して形成されるドレンソケット５１の下側に沿って少許端部に向けて第１の傾斜角度にて低く傾斜して形成されていると共に、傾斜支持部３３は、当該支持部３２の第１の傾斜角度よりも大きく、本実施例では、支持部３２に対して端部に向けて例えば約１５°程度等の第２の傾斜角度にて低く傾斜して形成されている。これにより、ドレンホース固定具３１は、ドレンソケット５１から離間するに従って低く傾斜して形成される。
【００４４】
また、支持部３２の傾斜支持部３３側の端部内壁面には、当該内壁面に宛がわれるドレンホース４１の最も拡管部４２に近接する蛇腹の溝４３に挿入して係合する固定用リブ３４が形成されている。この固定用リブ３４は、支持部３２の端部内壁面の上縁部に形成されている。これにより、当該固定用リブ３４に拡管部４２に近接する蛇腹の溝４３が挿入嵌合しているか否かを容易に視認可能とされている。
【００４５】
更に、この支持部３２の外面には、ドレンソケット５１、ドレンホース４１の拡管部４２と固定するためのバンド４５を取り付ける位置に、バンド取付用溝５３が当該バンド４５の幅寸法よりも少許大きい寸法にて形成されている。そして、このバンド取付用溝５３が形成されている位置に対応する支持部３２の内面には、長手方向と略垂直に交わる方向に延在する突条５４が複数、形成されている。尚、当該突条５４は、単一であっても複数であってもいずれであっても良いものとする。
【００４６】
そして、傾斜支持部３３の支持部３２とは反対側の端部内壁面には、当該内面に宛がわれるドレンホース４１の対応する位置の蛇腹の溝４４に挿入して係合する固定用リブ３５が形成されている。
【００４７】
更に、この傾斜支持部３３の端部（ドレンホース固定具３１の端部）は、外面にフランジ５６が形成されている。このフランジ５６の後端面は、貯蔵室９の壁面、本実施例では、図５に示すように後棚支柱２２若しくは、棚支柱２２が設けられていない場合には、図１０に示すように断熱箱体５の後壁５Ａに近接して形成されている。そして、このフランジ５６の下面５６Ａは、前端から係る後端面に渡って所定角度にて低く傾斜した形状を呈している。当該傾斜角度は、水滴が流れ始める角度、例えば、３°以上であることが望ましい。
【００４８】
一方、露受皿７の下面には、ドレンソケット５１の開口端部よりも側端部側に位置して下方に所定寸法突出するボス部４８が形成されている。このボス部４８は、下方に行くに従って少許先細り形状を呈していると共に、当該側面には、相対向する位置に、同様に、下側にいくに従って先細り形状を呈する係合部（係合片）４９、４９が形成されている。そして、このボス部４８の下端には、後述する固定部３７をネジ止めにて固定するためのネジ穴４８Ａが形成されている。
【００４９】
この露受皿７の下面に形成されるボス部４８の下方に対応する位置のドレンホース固定具３１には、本実施例では、傾斜支持部３３の上端部には、上方に所定寸法延在して形成される固定部３７が一体に形成されている。
【００５０】
この固定部３７の上部には、ボス部４８の下端部を挿入係合する係合穴３８が形成されている。そして、この係合穴３８には、ボス部４８の側面に形成された係合部（係合片）４９、４９を挿入して係合するための被係合部３９、３９、本実施例では、係合片４９、４９を挿入して係合する切欠が相対向する位置に形成されている。また、この係合穴３８には、挿入係合されたボス部４８と螺合するためのネジ穴３８Ａが形成されている。
【００５１】
係る構成により、ボス部４８は、係合部４９、４９と、係合穴３８の被係合部３９、３９が合致する位置でのみ係合穴３８に挿入係合可能とされると共に、一旦ボス部４８が係合されたドレンホース固定具３１は、水平方向の回転が阻止される。尚、本実施例において、ボス部４８の係合部４９及びドレンホース固定具３１の固定部３７に形成された被係合部３９は、二つ形成されているが、これに限定されるものではなく、一つ、若しくは、３つ以上、複数設けられていても良いものとする。
【００５２】
係る構成により、ドレンホース４１の拡管部４２がドレンソケット５１を覆うように、当該ドレンホース４１をドレンソケット５１に接続する。そして、ドレンホース固定具３１の支持部３２をドレンソケット５１を覆っているドレンホース４１の拡管部４２の下側に宛がう。この際、露受皿７の下面に形成されているボス部４８をドレンホース固定具３１の固定部３７に形成された係合穴３８に挿入係合させる。
【００５３】
このとき、ボス部４８の係合部４９、４９は、ドレンホース固定具３１の係合穴３８の被係合部３９、３９に挿入係合されているため、ドレンホース固定具３１の取付方向を容易に確定でき、且つ、容易に位置決めすることができる。そのため、露受皿７側のボス部４８にドレンホース固定具３１の固定部３７を係合させるのみで、ドレンホース固定具３１の支持部３２は、ドレンホース４１の拡管部４２の下側に宛われ、傾斜支持部３３は、拡管部４２から連続して形成されるドレンホース４１の下側に宛がわれる。これにより、取付作業性の向上を図ることができる。
【００５４】
この状態で、ネジ５２により、重合されたネジ穴４８Ａと３８Ａとを螺着する。この際に、露受皿７のボス部４８の係合部４９、４９とドレンホース固定具３１の固定部３７の被係合部３９、３９との係合によって、取付時において固定用のネジ５２の締め付け過ぎによる回転を防止することができる。これにより、より適切にドレンホース固定具３１を用いてドレンホース４１をドレンソケット５１に固定することが可能となる。尚、当該螺着は、バンド４５、４６により固定した後に行っても良い。
【００５５】
係る取付時において、ドレンホース４１の拡管部４２内の所定位置までドレンソケット５１が進入されていない場合には、ドレンホース固定具３１の内面に形成された固定用リブ３４が拡管部４２に引っかかり、ドレンホース固定具３１を適切にドレンホース４１に宛うことができない。
【００５６】
ドレンホース４１の拡管部４２内の所定位置までドレンソケット５１が進入した状態では、ドレンホース４１の最も拡管部４２に近接する蛇腹の溝４３に固定用リブ３４が挿入して係合される。これにより、当該ドレンホース固定具３１の取付の過程において、ドレンソケット５１がドレンホース４１の拡管部４２内所定位置まで挿入され、正常に接続されたことを確認することができる。
【００５７】
これにより、ドレンソケット５１がドレンホース４１の拡管部４２内所定位置まで挿入されていない状態でドレンホース固定具３１によりドレンホース４１の固定が行われることによる水漏れの招来を未然に回避することができるようになる。
【００５８】
その後、ドレンホース固定具３１の支持部３２を、ドレンソケット５１を覆っているドレンホース４１の拡管部４２と共にバンド４５により固定する。そして、ドレンホース固定具３１の傾斜支持部３３をドレンホース４１と共にバンド４６により固定する。尚、本実施例では、バンド４５、４６としてＳＫＢを採用している。
【００５９】
このとき、支持部３２とドレンソケット５１を覆っているドレンホース４１の拡管部４２とを固定するバンド４５は、支持部３２の外面に形成されているバンド取付用溝５３に沿って取り付ける。これにより、このバンド４５に対応する位置の支持部３２の内面には、突条５４が形成されているので、バンド４５が固定される箇所にてドレンホース４１の拡管部４２と、ドレンホース固定具３１との密着性を向上させることができる。これにより、水漏れの防止を実現することができる。
【００６０】
そして、傾斜支持部３３とドレンホース４１とを固定するバンド４６は、図１１及び図１２に示すように、傾斜支持部３３の内面に固定用リブ３５が形成されている位置に対応する位置に取り付ける。これにより、固定用リブ３５がドレンホース４１の蛇腹の溝４４に係合した状態で、且つ、係る係合位置にてバンド４６にて固定することができ、ドレンホース４１が露受皿７のドレンソケット５１から外れる不都合を効果的に防止することができる。特に、係る固定用リブは、３４、３５と複数設けられていることから、より一層効果的に、蛇腹形状のドレンホース４１とドレンホース固定具３１のリブとを係合させてドレンソケット５１からドレンホース４１が外れる不都合を防止することができる。
【００６１】
このようにして取り付けられたドレンホース４１の他端は、後側に位置する支柱２２に形成されるドレンホース用の穴５７を介して支柱２２と断熱箱体５の内壁面との間に収容し、当該下端部を外部に導出する（図４参照）。これにより、露受皿７、ドレンソケット５１、ドレンホース４１による一連の排水機構３０が構成される。
【００６２】
上述したように、本実施例によれば、露受皿７に設けられたドレンソケット５１に接続されたドレンホース４１は、ドレンホース固定具３１によって、ドレンソケット５１を覆うドレンホース４１の拡管部４２から所定範囲に渡ってこのドレンホース４１が下側より支持され、その状態でバンド４５、４６により固定されているため、ドレンホース４１を確実にドレンソケット５１に取り付けることができる。
【００６３】
このとき、ドレンソケット５１に接続されたドレンホース４１は、ドレンホース固定具３１によって下側から支持されているため、従来の如くドレンホース４１にＵトラップが形成される不都合を効果的に解消することができる。また、ドレンホース固定具３１は、支持部３２及び傾斜支持部３３がドレンソケット５１より離間するに従って低く傾斜して形成されており、ドレンホース４１は、当該ドレンホース固定具３１の支持部３２及び傾斜支持部３３に固定されているため、ドレンソケット５１から離間するに従って低く傾斜して取り付けることができ、ドレンソケット５１を介して排出されたドレン水を円滑に外部に排出することが可能となる。
【００６４】
また、バンド４５、４６によってドレンソケット５１に接続されたドレンホース４１とドレンホース固定具３１とは、固定されているため、メンテナンス作業時などにおいてドレンホース４１が押されることによって容易にドレンソケットから抜けてしまう不都合を解消できる。これにより、ドレンホース４１とドレンソケット５１との繋ぎ目等から水漏れが発生する不都合を効果的に抑制することができる。
【００６５】
また、ドレンホース固定具３１は、上述したようにドレンホース４１の下側のみを覆う断面半円弧形状を呈しているので、ドレンホース４１内に詰まりが発生した場合にも、当該ドレンホース４１が内部を透視可能な部材にて構成されていれば、容易に詰まりを確認することが可能となる。尚、透視可能な部材にて構成されていない場合であっても、ドレンホース固定具３１にて覆われていないドレンホース４１の上側部分を触ることによっても容易に内部の詰まりを確認することができる。
【００６６】
尚、本実施例では、露受皿７は、貯蔵室９内上部に配置されていると共に、ドレンホース固定具３１の下面は、支持部３２から傾斜支持部３３に渡って貯蔵室９の側壁面に向けて低く傾斜していると共に、当該傾斜支持部３３の端部は、貯蔵室９の壁面、この場合、後壁５Ａ方向に向けて前端から係る後端面に渡って低く傾斜した下面形状とされているため、当該下面を伝って当該ドレンホース固定具３１に付着したドレン水や結露水などを円滑に貯蔵室９の壁面に導くことができる。特に、本実施例では、当該後端面が貯蔵室９の壁面等に近接して設けられているため、より円滑に貯蔵室９の壁面にドレン水等を導くことができる。
【００６７】
これにより、当該ドレンホース固定具３１の外面に至った露が貯蔵室９内の物品に降りかかることで、物品を濡らしてしまう不都合を防止することができる。
【００６８】
尚、上記実施例では、貯蔵室９内上部に冷却器１１や露受皿７を設けた場合を例に挙げて説明しているが、これに限定されるものではなく、例えば、天井の冷却ユニット内に冷却器１１や露受皿７が設けられている場合など、他の場所に設けられている場合であっても本実施例と同様の効果を奏することができる。
【符号の説明】
【００６９】
１    ショーケース
５    断熱箱体
５Ａ  後壁
７    露受皿
８    冷却室
９    貯蔵室
１０    機械室
１１    冷却器
１２    送風機
１２Ｍ  送風機モータ
２２    支柱
２５、２６  ガラス扉
３０    排水機構
３１    ドレンホース固定具
３２    支持部
３３    傾斜支持部
３４、３５  固定用リブ
３７    固定部
３８    係合穴
３８Ａ  ネジ穴
３９    被係合部（切欠）
４１    ドレンホース
４２    拡管部
４３、４４  蛇腹の溝
４５、４６  バンド
４８    ボス部
４８Ａ  ネジ穴
４９    係合部（係合片）
５１    ドレンソケット
５２    ネジ
５３    バンド取付用溝
５４    突条
５６    フランジ
５７    ドレンホース用の穴
【先行技術文献】
【特許文献】
【００７０】
【特許文献１】特開平８−２００９３０号公報
【図１】
2010197001.tif 000003
【図２】
2010197001.tif 000004
【図３】
2010197001.tif 000005
【図４】
2010197001.tif 000006
【図５】
2010197001.tif 000007
【図６】
2010197001.tif 000008
【図７】
2010197001.tif 000009
【図８】
2010197001.tif 000010
【図９】
2010197001.tif 000011
【図１０】
2010197001.tif 000012
【図１１】
2010197001.tif 000013
【図１２】
2010197001.tif 000014
【図１３】
2010197001.tif 000015
【図１４】
2010197001.tif 000016
【図１５】
2010197001.tif 000017